(57)【要約】【課題】メール送信側とメール受信側の表示桁数が異なる場合であっても、メール作成者の意図したレイアウトで受信表示されるようにメール作成および編集ができる使い勝手の良い携帯電話機を提供する。【解決手段】複数の異なる表示桁数から任意に選択された表示桁数を有する編集画面を表示部に表示してメール編集を可能にし、さらに、複数の異なる表示桁数から任意に選択された表示桁数を有するプレビュー画面を表示部に表示してメールの確認を可能にする。【選択図】    図１
2004310566.tif 000002
【特許請求の範囲】
【請求項１】
メール編集およびメール送信機能を少なくとも有する携帯通信装置において、
表示手段と、
複数の異なる表示桁数から任意に選択された表示桁数を有する編集画面を前記表示手段に表示してメール編集を可能にする編集手段と、
複数の異なる表示桁数から任意に選択された表示桁数を有するプレビュー画面を前記表示手段に表示してメールの確認を可能にするプレビュー手段と、
を有することを特徴とする携帯通信装置。
【請求項２】
前記編集手段は、前記編集画面の右端の列を改行文字専用の表示領域として設定することを特徴とする請求項１記載の携帯通信装置。
【請求項３】
前記編集手段は、改行文字を表示するのに代えて改行する直前の文字に所定の識別マークを表示することを特徴とする請求項１記載の携帯通信装置。
【請求項４】
前記識別マークはアンダーラインであることを特徴とする請求項３記載の携帯通信装置。
【請求項５】
メール送付先のメールアドレスと各メールアドレスに対応するメール受信端末の表示桁数とを対応付けて登録するメールアドレス登録手段と、
メールアドレスを指定した場合に、このメールアドレスに対応する表示桁数を前記メールアドレス登録手段から検索する検索手段と、
を更に有し、前記編集手段は、検索された表示桁数に対応した編集画面を表示することを特徴とする請求項１記載の携帯通信装置。
【請求項６】
メール編集およびメール送信機能を少なくとも有する携帯通信装置のメール編集表示方法において、
複数の異なる表示桁数の編集画面から任意に選択された表示桁数を有する編集画面を表示し、
前記編集画面により編集されたメールを複数の異なる表示桁数から任意に選択された表示桁数を有するプレビュー画面で表示する、
ことを特徴とする携帯通信装置におけるメール編集表示方法。
【請求項７】
メール編集およびメール送信機能を少なくとも有する携帯通信装置のメール編集表示方法において、
メール送付先のメールアドレスと各メールアドレスに対応するメール受信端末の表示桁数とを対応付けて登録し、
メールアドレスを指定した時に指定メールアドレスに対応する表示桁数を検索し、
複数の異なる表示桁数の編集画面から前記検索された表示桁数を有する編集画面を表示する、
ことを特徴とするメール編集表示方法。
【請求項８】
前記編集画面により編集されたメールを前記検索された表示桁数を有するプレビュー画面で表示することを特徴とする請求項７記載のメール編集表示方法。
【請求項９】
前記編集画面の右端の列を改行文字専用の表示領域として設定することを特徴とする請求項６または７に記載のメール編集表示方法。
【請求項１０】
改行文字を表示するのに代えて改行する直前の文字に所定の識別マークを表示することを特徴とする請求項６または７に記載のメール編集表示方法。
【請求項１１】
コンピュータに、メール編集およびメール送信機能を少なくとも有する携帯通信装置におけるメール編集制御を実行させるプログラムにおいて、
複数の異なる表示桁数の編集画面から任意に選択された表示桁数を有する編集画面を表示するステップと、
前記編集画面により編集されたメールを複数の異なる表示桁数から任意に選択された表示桁数を有するプレビュー画面で表示するステップと、
を有することを特徴とするメール編集プログラム。
【請求項１２】
コンピュータに、メール編集およびメール送信機能を少なくとも有する携帯通信装置におけるメール編集制御を実行させるプログラムにおいて、
メール送付先のメールアドレスと各メールアドレスに対応するメール受信端末の表示桁数とを対応付けて登録するステップと、
メールアドレスを指定した時に指定メールアドレスに対応する表示桁数を検索するステップと、
複数の異なる表示桁数の編集画面から前記検索された表示桁数を有する編集画面を表示するステップと、
を有することを特徴とするメール編集プログラム。
【発明の詳細な説明】
【０００１】
【発明の属する技術分野】
本発明は電子メール等のメール送受信機能を有する携帯通信装置およびそのメール編集表示方法に関する。
【０００２】
【従来の技術】
最近の多くの携帯電話機はメール送受信機能を有しており、限られた表示画面内でメール文章の作成や閲覧が行われている。また、多くの場合、表示画面の大きさは携帯電話機の種類によって異なっており、それに伴って１画面に表示できる文字数も異なってくる。
【０００３】
このようなメール環境においては、ある携帯電話機のメール編集モードで作成されたメールがそのままのレイアウトで他の携帯電話機やパソコンで受信表示されるとは限らない。受信画面の表示文字数などが異なれば、メール作成者の意図とは異なる受信表示結果になることも多いと考えられる。
【０００４】
図９および図１０は、メール作成者の意図とは異なる受信表示画面になる場合を例示した模式図である。ここでは、１行１０桁の文字を表示できる表示部において右端まで文字が入力されると次の文字は次の行の１桁目から表示されるものとし、また、作成したメールが受信側でどのように表示されるかを確認するための送信プレビュー機能を有するものとする。
【０００５】
図９に示すメール編集画面２０２では、メール作成者が改行文字を使用せずに空白文字２０２ａ（□）を使用してメール文章の体裁を整えている。送信プレビュー画面２０３では、空白文字２０２ａが表示されず、その他の部分は変化しない。このメール文章が表示桁数が同じ端末で受信された場合には、送信プレビュー２０３と同じ表示結果の受信メール２０５が得られる。しかしながら、表示桁数が異なる端末で受信された場合には、たとえば８桁表示端末ではメール受信画面２０６、１２桁表示端末ではメール受信画面２０７、４０桁表示端末ではメール受信画面２０８のように、メール作成者が意図した配置と異なってしまい見づらいメール表示となってしまう。このような不都合は、送信者がメール作成時に配慮することで回避することも可能である。
【０００６】
たとえば、図１０に示すように、送信者がメール作成時に受信側での表示桁が送信側と異なることを意識して、文章の体裁を整える際に改行文字３０２ａ（↓）および空白文字３０２ｂ（□）を適所に使用すればよい。この例では、送信側と表示桁数が異なる桁数表示の端末では、メール受信画面３０６〜３０８のように見易く体裁が整った表示を得ることができる。しかしながら、使い勝手をより良くするためには、メール作成者がこのような表示桁数の違いを意識しなくても済むようなメール編集機能が望ましい。
【０００７】
特開２００２−８２８７７号公報（特許文献１）には、上述した不都合を考慮して、受信者が読むフォーマットに近い表示で電子メールを作成する装置が提案されている。具体的には、送付先のメールアドレスと受信者のメール表示条件とを対応づけて登録しておき、メール作成時に送付先の表示条件でメールを作成するようにしている。
【０００８】
【特許文献１】
特開２００２−８２８７７号公報（明細書段落番号００２９〜００３３、図４）。
【０００９】
【発明が解決しようとする課題】
しかしながら、特許文献１に開示された従来技術は、受信側の制約から送信文字数が限られているような場合に有効であり、主としてパソコン等の表示桁数が多い装置から表示画面の小さいメール端末へのメール送信を想定したものである。このために、表示桁数のより多い端末へ送信する場合は考慮されていない。また、上述した携帯電話機での改行に係るメール作成者の編集ミスの問題にも対処できない。
【００１０】
本発明の目的は、メール送信側とメール受信側の表示桁数が異なる場合であっても、メール作成者の意図したレイアウトで受信表示されるようにメール作成および編集ができる使い勝手の良い携帯通信装置およびメール編集表示方法を提供することにある。
【００１１】
また、本発明の他の目的は、メール作成者の意図したレイアウトで受信表示されるようにメール作成および編集を行う際の編集ミスを有効に防止できる携帯通信装置およびメール編集表示方法を提供することにある。
【００１２】
【課題を解決するための手段】
本発明による携帯通信装置は、表示手段と、複数の異なる表示桁数から任意に選択された表示桁数を有する編集画面を前記表示手段に表示してメール編集を可能にする編集手段と、複数の異なる表示桁数から任意に選択された表示桁数を有するプレビュー画面を前記表示手段に表示してメールの確認を可能にするプレビュー手段と、を有することを特徴とする。
【００１３】
前記編集手段は、前記編集画面の右端の列を改行文字専用の表示領域として設定することを特徴とする。さらに、前記編集手段は、改行文字を表示するのに代えて改行する直前の文字に所定の識別マークを表示することを特徴とする。
【００１４】
さらに、前記携帯通信装置は、メール送付先のメールアドレスと各メールアドレスに対応するメール受信端末の表示桁数とを対応付けて登録するメールアドレス登録手段と、メールアドレスを指定した場合に、このメールアドレスに対応する表示桁数を前記メールアドレス登録手段から検索する検索手段と、を有し、前記編集手段は、検索された表示桁数に対応した編集画面を表示することを特徴とする。
【００１５】
上述したように、メール編集および送信プレビューに通常桁数以外の複数の桁数表示画面を設け、使用者が自在に切り替え表示できるようにする。これによりメール作成者は送信側と受信側で表示桁数が異なる場合であっても受信側端末に適した表示桁数のメールを容易に作成できる。
【００１６】
また、アドレス帳データベースに相手先の表示桁数の項目を追加することで、メールアドレスを基にメール編集画面へ移行する際に、送信先の桁数と同じ桁数の初期編集画面に直接移行できる。
【００１７】
さらに、編集画面において改行文字の表示方法を工夫することで、メール編集ミスを少なくすることができる。
【００１８】
【発明の実施の形態】
図１は本発明による携帯通信装置の概略的ブロック図である。プログラム制御プロセッサからなる制御部１１は無線部１２およびアンテナ１３を通して基地局との無線通信を行う。送信音声はマイク１５を通して入力し、音声入出力部１４で音声符号化され制御部１１へ出力される。受信した符号化音声は音声入出力部１４で復号されスピーカ１６から出力される。ユーザはテンキー等を含むキー操作部１７を操作し、キー操作識別部１８はダイヤリング等の各種指令を識別して制御部１１へ出力する。制御部１１は表示制御部２０を制御し、各種メニュー画面、受信情報、あるいは、後述するメール編集画面や送信プレビュー画面等を表示部１９に表示する。
【００１９】
制御部１１はプログラムメモリ２１に格納されているメール編集プログラムや送信プレビュープログラムなどの必要なプログラムを実行することで、後述するメール編集、送信プレビュー、アドレス検索等を含む各種携帯電話機能を実行する。また、メモリ２２にはアドレス帳データや種々の設定データが格納されている。
【００２０】
１．第１実施形態
図２は、本発明の第１実施形態による携帯電話機のメール作成フローを示す図である。待受画面からメニュー選択あるいは専用キーを押下することで、制御部１１はプログラムメモリ２１からメール編集プログラムを読み出しメール文章作成フローを開始する（ステップ４０１）。
【００２１】
メール編集ステップ４０２において、ユーザはキー操作部１７を操作してメール文章を作成することができる。メール作成中にメール編集を中止することも可能である（ステップ４１２）。また、メールが完成すればメール送信を行う（ステップ４１３）。すぐに送信せずに、作成したメールを一時保存することもできる（ステップ４１４）。
【００２２】
また、メニュー選択により送信プレビューを選択することで、メール編集ステップ４０２から送信プレビューステップ４０７へ随時移行することができる。送信プレビューが選択されると、制御部１１はプログラムメモリ２１から送信プレビュープログラムを読み出し、後述するように入力したメール文章が送信先でどのように表示されるかを表示する。これにより、ユーザは送信前にメールの受信結果を確認することができる。
【００２３】
本実施形態において、メール編集ステップ４０２における通常表示桁数は１０桁であり、メール文章作成フローが開始されると、まず１０桁編集画面４０３が表示部１９に表示される。そして、ユーザがメニュー選択あるいは所定キーの操作を行うことによって、８桁編集画面４０４、１２桁編集画面４０５、任意桁編集画面４０６へ順次移行することができる。同様に、送信プレビューステップ４０７においても、通常１０桁表示画面４０８、８桁表示画面４０９、１２桁表示画面４１０および任意桁表示画面４１１へ順次移行することができる。
【００２４】
メール編集表示
図３は１０桁編集画面と８桁編集画面との切り替えの様子を示す説明図である。１０桁編集画面５０１で文章を入力後、メニュー選択画面５０２により８桁編集を選択すると、１０桁標準表示画面の左右１桁ずつが非表示領域となり、それらに挟まれた内側の領域に入力された文章が各行８桁の折り返しで表示される。この８桁編集画面５０３で引き続き文章の編集を行うことができる。８桁編集画面５０３からメニュー選択画面５０４により１０桁編集を選択すると、１０桁標準編集画面５０１に戻り１０桁での折り返し表示となる。
【００２５】
図４は１２桁編集画面に切り替えた時の表示例を示す図である。１０桁標準編集画面の表示部１９において、１２桁のメール文章６０１〜６０３を実際に表示するには、横方向の画面スクロール機能を用いて１２桁のうちの１０桁を部分表示させることで対応する。たとえば、１２桁のメール文章６０１では、メール編集画面６０４のように左の１０桁を表示し、隠れた残りの２桁は左スクロールにより表示させる。１２桁のメール文章６０２では、メール編集画面６０５のように両端の１桁を除く１０桁を表示し、隠れた両端の１桁は左右スクロールにより表示させる。同様に、１２桁のメール文章６０３では、メール編集画面６０５のように右の１０桁を表示し、隠れた残りの２桁は右クロールにより表示させる。
【００２６】
上述した桁数以外でも同様に表示可能である。すなわち、標準桁数表示よりも少ない桁数での表示では、図３に示す１０桁編集画面と８桁編集画面との切り替えと同様の表示方法を、また標準桁数表示よりも多い桁数での表示では図４に示す１２桁編集画面と同様の表示方法を、それぞれ採用することができる。
【００２７】
図３および図４に示した表示方法は、表示文字フォントの大きさを変えずに所望の表示を行う方法であるが、フォントサイズを変えて表示する方法を採用しても良い。特に、標準桁数表示よりも多い桁数の編集画面を表示する場合に好適である。勿論、これら２つの方法を表示すべき桁数の過多に応じて使い分けるように制御しても良い。
【００２８】
送信プレビュー表示
図５は送信プレビュー表示の一例を示す図である。ここでは、１０桁標準編集画面７０１で空白文字（□）を使用してメール文章の体裁を整えた場合を示す。１０桁標準編集画面７０１でメール文章を入力すると、これに対応する送信プレビュー画面７０２を受信側の表示桁数に応じて複数表示させることができる。
【００２９】
具体的には、同じ１０桁送信プレビュー画面７０３では、１０桁標準編集画面７０１と同じ表示となる。８桁送信プレビュー画面７０４では、左右１桁ずつ非表示とし、その間の８桁領域でメール文章の表示を行う。１２桁送信プレビュー画面７０５では、表示フォントを小さくして１行１２桁で表示する。表示フォントの縮小率は表示桁数に応じて決めればよい。また、４０桁送信プレビュー画面７０６では、表示フォントがあまりにも小さくなり文字自体が見えなくなるので、文字の変わりに所定のマーク、たとえば点（・）、を文字位置に対応して表示し、各行にどのように文字が配置されるかがわかるようにしている。これら以外の桁数の送信プレビュー表示も考え方は同じである。
【００３０】
図６は送信プレビュー表示の他の例を示す図である。ここでは、１０桁標準編集画面８０１で改行文字（↓）および空白文字（□）を使用してメール文章の体裁を整えた場合を示す。１０桁標準編集画面８０１でメール文章を入力すると、これに対応する送信プレビュー画面８０２を受信側の表示桁数に応じて複数表示させることができる。動作は、図５の場合と同様であるから説明は省略する。
【００３１】
以上説明したように、携帯電話機でのメール文章編集作業において、受信側の表示桁数と同じ桁数の編集画面／送信プレビュー画面を用意しておくことで、受信側の表示桁数を考慮した文章作成が容易に行える。また、受信側の表示桁数と同じ桁数の送信プレビュー画面に切り替えることができるため、メール送信前に表示桁数が異なった送信先それぞれに合わせて表示状態を容易に確認できる。
【００３２】
２．第２実施形態
図７（Ａ）は本発明の第２実施形態による携帯電話機におけるアドレス帳の内容を例示した模式図であり、（Ｂ）は本実施形態のメール作成フローを示す図である。
【００３３】
図７（Ａ）に示すように、アドレス帳には、それぞれの送信先に対応してメールアドレスと当該送信先の表示条件（ここでは表示桁数）とが検索可能に格納されている。
【００３４】
上述したようにメール作成フローが開始され（ステップ９０１）、宛先メールアドレスが入力されると（ステップ９０２）、制御部１１は入力メールアドレスを検索キーとしてメモリ２２に格納されているアドレス帳を検索し、当該メールアドレスに対応する表示桁数情報が登録されているか否かを判断する（ステップ９０３）。
【００３５】
宛先メールアドレスに対応する表示桁数が登録されている場合には（ステップ９０３のＹＥＳ）、その登録されている表示桁数のメール編集画面を表示し、メール編集モードに移行する。たとえば、宛先メールアドレスに対応する表示桁数が８桁であれば、８桁メール編集画面９０５が表示される。宛先メールアドレスに対応する表示桁数が登録されていない場合には（ステップ９０３のＮＯ）、標準桁数（１０桁）のメール編集画面９０７が表示され、メール編集モードに移行する。
【００３６】
上述したように、必要に応じて送信プレビュー画面９１０を表示することができる。その際、メール編集画面と同じ表示桁数となるように設定されるのが望ましい。このような制御により、メール編集画面の桁数や送信プレビュー画面の桁数を変更する操作を省くことができ、操作が容易になる。さらに、メール作成者が相手先端末の表示桁数を覚えている必要も無くなり使い勝手が向上する。
【００３７】
また、上述したように、編集中あるいは編集終了後に、メール中止ステップ９１１、メール送信ステップ９１２あるいはメール保存ステップ９１３を選択できる。
【００３８】
３．第３実施形態
図８は本発明の第３実施形態による携帯電話機におけるメール編集表示の一例を示す図である。
【００３９】
従来では、標準表示１０桁のメール編集画面１００１に示すように改行を利用してメール文の体裁を整えた場合、文中の「ＡＡＡ電気（池袋店）↓」は２行に渡って表示されているが、送信プレビュー画面１００４および受信メール画面１００５では１行表示となる。そして、このことがメール編集画面１００１での改行文字１００１ａの入力し忘れや、１行空けるために改行マーク１００１ａを入れたつもりが実際には１行空けるためにはもう１つ改行マークが必要であることを見落すなどの編集ミスにつながっている。
【００４０】
第３実施形態ではメール編集画面での改行文字１００１ａの表示方法を変更することで、メール編集画面１００１と送信プレビュー画面１００４とで表示行数が変わってしまう事態を避けることができる。
【００４１】
具体的には、先ず、メール編集画面１００２で示すように、たとえば横方向のみに縮小したフォントを用いることにより、右端に改行文字表示専用の１１桁目１００２ａを設ける。改行文字以外の文字で１０桁目以降は、１１桁目に表示せず、次の行の１桁目に表示する。１１桁目に改行文字が来た場合にのみ１１桁目を使用して改行マークを表示する。
【００４２】
別の表示方法としては、メール編集画面１００３に示すように、改行文字を１文字として扱わず、改行文字の入力に対応して改行直前の文字にアンダーライン１００３ａなどの装飾をつけることで改行を表現する。なお、複数連続した改行については、２つ目以降の改行は行頭に改行文字を表示しても良いが本例では２つ目以降の改行１００３ｂ、１００３ｃを行頭でのアンダーラインのみの表示として改行文字入力に対する表示を統一している。
【００４３】
【発明の効果】
本発明によれば、携帯通信装置でのメール文章編集作業において、複数の異なる表示桁数を有する編集画面を選択可能に用意することで、当該携帯通信装置の通常表示桁数と異なる受信側の表示桁数を考慮したメール作成を容易に行うことができる。同様に、複数の異なる表示桁数を有する送信プレビュー画面を選択可能に用意することで、携帯通信装置からのメール送信前に受信側での表示状態を容易に確認できる。
【００４４】
また、相手先メールアドレスとその端末の表示桁数を対応付けて記憶しておくことで、相手先メールアドレスを入力するだけで、当該宛先の表示桁数のメール編集を行うことができ、さらに使い勝手が向上する。
【００４５】
さらに、メール編集画面での改行文字の表示方法を工夫することで、メール編集画面と送信プレビュー画面で表示行数が変わってしまうことを避けるようにしたので、編集ミスを無くすことができる。
【図面の簡単な説明】
【図１】本発明による携帯通信装置の概略的ブロック図である。
【図２】本発明の第１実施形態による携帯電話機のメール作成フローを示す図である。
【図３】第１実施形態における１０桁編集画面と８桁編集画面との切り替えの様子を示す説明図である。
【図４】第１実施形態における１２桁編集画面に切り替えた時の表示例を示す図である。
【図５】第１実施形態における送信プレビュー表示の一例を示す図である。
【図６】第１実施形態における送信プレビュー表示の他の例を示す図である。
【図７】図７（Ａ）は本発明の第２実施形態による携帯電話機におけるアドレス帳の内容を例示した模式図であり、（Ｂ）は本実施形態のメール作成フローを示す図である。
【図８】本発明の第３実施形態による携帯電話機におけるメール編集表示の一例を示す図である。
【図９】従来の携帯電話機においてメール作成者の意図とは異なる受信表示画面になる場合の一例を示した模式図である。
【図１０】従来の携帯電話機においてメール作成者の意図とは異なる受信表示画面になる場合の他の例を示した模式図である。
【符号の説明】
１１  制御部
１２  無線部
１３  アンテナ
１４  音声入力回路
１５  送話用マイクロホン
１６  受話器用スピーカ
１７  キー操作部
１８  キー操作識別回路
１９  表示部
２０  表示制御部
２１  プログラムメモリ
２２  メモリアドレス帳
【図１】
2004310566.tif 000003
【図２】
2004310566.tif 000004
【図３】
2004310566.tif 000005
【図４】
2004310566.tif 000006
【図５】
2004310566.tif 000007
【図６】
2004310566.tif 000008
【図７】
2004310566.tif 000009
【図８】
2004310566.tif 000010
【図９】
2004310566.tif 000011
【図１０】
2004310566.tif 000012